(57)【特許請求の範囲】
【請求項１】
自動車の電気式補助暖房装置であって、
前記補助暖房装置の中を流れる空気を加熱する少なくとも１つのＰＴＣ加熱素子と、
前記少なくとも１つの加熱素子の加熱出力を調整する制御ユニットと、
を備えており、
前記制御ユニットは、車両速度が変化するとき前記補助暖房装置から吐き出される空気の流量を一定に維持した上で、前記補助暖房装置から吐き出される空気の温度を、前記車両速度に依存して調整し、
加熱後の空気の温度が前記速度に依存して変化するように、前記制御ユニットは事前に選択される基本値から開始して前記加熱出力を調整し、
前記制御ユニットは、前記車両速度に対する前記加熱出力の依存性を示す特性フィールドを格納するメモリを含んでおり、前記加熱出力は、加熱後の前記空気の温度を変化させる役目を果たし、
前記（電気式）補助暖房装置は、前記車両の内側の測定された温度および前記車両の外側の測定された温度の重み付き組合せから、前記ＰＴＣ加熱素子に流入し前記補助暖房装置によって加熱される前記空気の冷気温度を判定する温度判定ユニットをさらに備えており、
前記制御ユニットは、判定された前記冷気温度にさらに依存して前記加熱出力を調整する、
電気式補助暖房装置。
【請求項２】
前記空気の流量は選択可能であり、
前記制御ユニットは、前記加熱出力を調整する際に前記電気式補助暖房装置を通過する前記選択可能な空気の流量を考慮し、
発生する前記加熱出力が新らたな空気の流量の選択に起因して変化するときに、前記制御ユニットは、
（ｉ）前記加熱出力を、前記変化の後、所定の期間にわたり前記空気の流量に関連付けられる前記加熱出力よりも小さいか、もしくは大きい値に設定すること、
ならびに、
（ｉｉ）前記加熱出力を、前記所定の期間の後、前記空気の流量に関連付けられる前記加熱出力に設定すること
により前記変化に応答する、
請求項１に記載の電気式補助暖房装置。
【請求項３】
前記所定の期間の間に発生する前記加熱出力は、
（ｉ）前記所定の期間の間、一定に維持され、
または、
（ｉｉ）前記所定の期間の間、前記空気の流量に関連付けられる前記加熱出力に連続的にもしくは段階的に減少もしくは増加する、
請求項２に記載の電気式補助暖房装置。
【請求項４】
前記温度判定ユニットは、前記冷気温度を、加算補正係数を考慮して判定する、請求項１から請求項３のいずれかに記載の電気式補助暖房装置。
【請求項５】
前記重み付き組合わせの重み付けは、前記車両の内側または外側で測定される温度値と、判定される前記冷気温度との間の差を補正する、請求項１から請求項３のいずれかに記載の電気式補助暖房装置。
【請求項６】
前記重み付き組合わせの重み付けは、前記車両の内側または外側で測定される温度値に対する、前記冷気温度の時間的変動を補正する、請求項１から請求項３のいずれかに記載の電気式補助暖房装置。
【請求項７】
前記車両の内側または外側で測定される温度値は、前記自動車の空調システムによって提供される、請求項１から請求項３のいずれかに記載の電気式補助暖房装置。
【請求項８】
前記制御ユニットは、
入力値に対する、発生させる前記加熱出力の依存性を記述する特性フィールドを格納しているメモリを備えており、
前記制御ユニットは、発生させる前記加熱出力を前記特性フィールドの値に従って調整する、
請求項１に記載の電気式補助暖房装置。
【請求項９】
加熱される前記空気を前記加熱素子に供給するブロアを備えている、請求項１に記載の電気式補助暖房装置。
【請求項１０】
前記基本値は、ユーザにより事前に選択される、請求項１に記載の電気式補助暖房装置。
【請求項１１】
前記基本値は、外部パラメータに依存して事前に選択される、請求項１に記載の電気式補助暖房装置。
【請求項１２】
前記外部パラメータは、外部温度またはコンバーチブルトップもしくは窓が開いている程度である、請求項１１に記載の電気式補助暖房装置。
【請求項１３】
前記基本値は、前記電気式補助暖房装置の事前に選択される空気の流量に依存して事前に選択される、請求項１に記載の電気式補助暖房装置。
【請求項１４】
自動車のシートであって、
前記シートの上側領域に形成されており、乗員の頭、肩、または首の領域に空気を供給するために使用される少なくとも１つの空気吐出口、を含んでいる空気ダクトを備えており、
前記空気ダクトの中を流れる前記空気を加熱する、請求項１に記載の電気式補助暖房装置をさらに含んでいる、自動車のシート。
【請求項１５】
自動車の電気式補助暖房装置を制御する方法であって、前記電気式補助暖房装置は、前記補助暖房装置の中を流れる空気を加熱する少なくとも１つのＰＴＣ加熱素子を備えており、前記方法は、
車両の内側の測定された温度および前記車両の外側の測定された温度の重み付き組合せから、前記ＰＴＣ加熱素子に流入し前記補助暖房装置によって加熱される前記空気の冷気温度を判定するステップと、
車両速度が変化するとき、前記補助暖房装置から吐き出される加熱後の空気の流量を一定に維持した上で、前記補助暖房装置から吐き出される加熱後の空気の温度を前記車両速度に依存して調整するステップと、を有し、
前記加熱後の空気の温度が前記車両速度に依存して変化するように、前記加熱出力は、事前に選択される基本値から開始して、調整され、
前記車両速度に対する前記加熱出力の依存性を示す特性フィールドは、前記加熱出力を調整するのに使用され、前記加熱出力は加熱後の前記空気の温度を変化させる役目を果たし、
前記加熱出力は、さらに判定された前記冷気温度に依存して調整される、
方法。
【請求項１６】
前記空気の流量は選択可能であり、
前記方法は、
前記加熱出力を調整する際に前記空気の流量を考慮するステップと、
（ｉ）前記加熱出力を、前記変化の後、所定の期間にわたり前記空気の流量に関連付けられる前記加熱出力よりも小さいか、もしくは大きい値に設定すること、
ならびに、
（ｉｉ）前記加熱出力を、所定の期間のあと前記空気の流量に関連付けられる前記加熱出力に設定することにより、
新らたな空気の流量の選択に起因して発生する前記加熱出力の変化に応答するステップと、
を有する請求項１５に記載の方法。
【請求項１７】
前記所定の期間の間に発生する前記加熱出力は、
（ｉ）前記所定の期間の間、一定に維持され、
または、
（ｉｉ）前記所定の期間の間、前記空気の流量に関連付けられる前記加熱出力に連続的にもしくは段階的に減少もしくは増加する、
請求項１６に記載の方法。
【請求項１８】
前記冷気温度は、加算補正係数を考慮することによって判定される、請求項１５から請求項１７のいずれかに記載の方法。
【請求項１９】
前記重み付き組合わせの重み付けは、前記車両の内側または外側で測定される温度値と、判定される前記冷気温度との間の差を補正する、請求項１５から請求項１７のいずれかに記載の方法。
【請求項２０】
前記重み付き組合わせの重み付けは、前記車両の内側または外側で測定される温度値に対する、前記冷気温度の時間的変動を補正する、請求項１５から請求項１７のいずれかに記載の方法。
【請求項２１】
前記車両の内側または外側で測定される温度値は、前記自動車の空調システムによって提供される、請求項１５から請求項１７のいずれかに記載の方法。
【請求項２２】
前記基本値は、ユーザにより事前に選択される、請求項１５に記載の方法。
【請求項２３】
前記基本値は、外部パラメータに依存して事前に選択される、請求項１５に記載の方法。
【請求項２４】
前記外部パラメータは、外部温度またはコンバーチブルトップまたは窓が開いている程度である、請求項２３に記載の方法。
【請求項２５】
前記基本値は、前記電気式補助暖房装置の事前に選択される空気の流量に依存して事前に選択される、請求項１５に記載の方法。
【発明の詳細な説明】
【技術分野】
【０００１】
本発明は、自動車の電気式補助暖房装置に関する。具体的には、本発明は、加熱素子に加えて、加熱素子によって発生させなければならない加熱出力を制御する制御ユニットも備えている補助暖房装置に関する。
【背景技術】
【０００２】
コンバーチブルトップを開いた状態で走行するときの快適性を向上させる目的で、カブリオレにおけるドラフト現象（draught phenomena）を防止するための暖房装置は、すでにかなり長い間使用されている。これらの暖房装置においては、ブロアに吸い込まれて吐き出される空気は、エンジンの廃熱または追加の暖房モジュールを利用して暖められ、車両の車室内に吹き出される。さらに、乗員の首領域付近に暖気の流れを伝えることができるように、車両のシートにも空気吐出口を設けることができる。車両の取付け具、シート、またはその他の部分に取り付けられているこのような暖房装置の加熱出力は、通常ではユーザによる手操作によって決定されるが、ユーザは、暖房装置から吐き出される空気の正確な温度および強さを細かく操作することはない。
【０００３】
乗員の首領域に暖気を供給する目的には、例えば、特許文献１に、オープンカーのための風保護装置であって、シートに設けられている空気流開口から吐き出される空気流が車両速度に依存して制御される、風保護装置が開示されている。この特許文献１においては、車両速度が上がると空気流の強さを増大させるのに対し、車両速度が下がると空気流の強さを低減させる。さらに、空気流開口から吐き出される空気の温度が一定に維持されるように、変更された空気流の強さに加熱出力を適合させる。したがって、この特許文献１に開示されている空気流制御は、ブロアおよび加熱出力を制御しなければならないため、極めて複雑である。
【０００４】
さらには、特許文献１では、空気を加熱するために使用される加熱素子は、加熱出力が変化するときに起こる慣性効果を伴うことを考慮していない。例えば、車両の加速段階時に空気体積流量が大きく増大すると、ＰＴＣ加熱素子は、その慣性に起因して、吐き出される空気流の温度を一定に維持するために要求される加熱出力を提供することができない。結果として、加速段階時には、十分に加熱されていない空気が乗員の首に吹き付けられ、これによって望ましくないドラフト現象が起こる。
【０００５】
車両が急激に減速するときにも、同様の問題が起こる。加熱素子の慣性のため、空気体積流量が減少するときにそれに遅れずに加熱出力を下げることができない。したがって、減速時には、過度に高い温度の空気が乗員の首に吹き付けられる。
【先行技術文献】
【特許文献】
【０００６】
【特許文献１】独国特許第１００５４００９号明細書
【発明の概要】
【発明が解決しようとする課題】
【０００７】
したがって、本発明の目的は、上述した問題を回避することのできる、改良された電気式補助暖房装置を提供することである。
【課題を解決するための手段】
【０００８】
本発明によると、この目的は、独立請求項の特徴によって達成される。本発明の都合の良いさらなる特徴を備えた有利な実施形態は、従属請求項に開示されている。
【０００９】
本発明の具体的な方法においては、補助暖房装置から吐き出される空気体積流量ではなく、空気流の温度を、車両速度に依存して調整する。本発明によると、電気式補助暖房装置は、補助暖房装置の中を流れる空気を加熱する少なくとも１つのＰＴＣ加熱素子と、加熱素子によって発生する加熱出力を調整する制御ユニットとを備えている。速度に依存する影響、例えば、後流に起因する影響を補正する目的で、この制御ユニットは、補助暖房装置から吐き出される空気の温度を車両速度に依存して調整する。
【００１０】
したがって、本発明によると、乗員にとって心地よい温度が、乗員の首領域に生成される。従来技術によると、この目的を達成するため、空気流量を車両速度に依存して変化させる。しかしながら、この方法を採用した場合、吐き出される空気の温度を一定に維持することが難しい。流れる空気量が変化すると、短期間の間、熱い空気または冷たい空気が乗員の首領域に吹き付けられる。本発明による方法と、本発明による暖房装置とを使用すると、これらの欠点を効果的に回避することができ、さらに、電気式補助暖房装置の構造設計を単純にすることができる。
【００１１】
好ましい実施形態によると、制御ユニットは、吐き出される空気の温度が変化するように、発生させる加熱出力の基本値を調整する。すなわち、基本値から開始し、車両の速度に依存して加熱出力を変化させる。この基本値は、例えば乗員によって事前に選択できることが好ましく、または、外部パラメータ、例えば、外側温度に応答して自動的に調整される。
【００１２】
したがって、吐き出される暖気の温度を、乗員のニーズまたは外部の影響に容易に適合させることができる。このことは、特に、補助暖房装置が乗員の首領域において使用される場合に有利である。運転者がコンバーチブルトップを開いて運転するとき、風の冷たさ、したがってドラフト現象の強さは、外側温度によって大きく影響される。上述したように、多くの暖房装置では、乗員が手操作によって選択できるさまざまな快適性段階（それぞれに特定の加熱出力強度が割り当てられている）をさらに提供している。基本値を考慮することによって、吐き出される空気の温度制御において、乗員によって指定される個々の要求条件、または外側温度の影響を考慮することができる。
【００１３】
ほとんどの車両では、暖房装置の快適性段階の選択に加えて、暖房装置の空気流量を個々の必要に応じて適合させる手段も提供している。例えば、ブロアの段階を選択して、暖房装置に空気を供給するブロアの回転数を調整することが可能である。この状況を考慮するため、基本値を調整するとき、補助暖房装置は、自身を流れる空気体積流量を考慮することが好ましい。
【００１４】
温度を変化させるために発生させる必要のある加熱出力の、車両速度に対する依存性は、理論的に正確に既知ではないことが多いため、車両速度に対する加熱出力の依存性を記述する特性フィールドを、補助暖房装置が格納していることが好ましい。このような特性フィールドは、例えば、実験によって容易に求めることができる。
【００１５】
要求される加熱出力には、吸い込まれる冷気の温度も重大に影響する。発生させる加熱出力を調整するため、補助暖房装置は、好ましい実施形態によると、補助暖房装置によって加熱される空気の温度（以下では「冷気温度」と称する）を判定する温度判定ユニット、をさらに備えている。確定された冷気温度に基づいて、制御ユニットは、加熱素子によって発生させる加熱出力を、さらにこの冷気温度に依存して決定する。
【００１６】
加熱される冷気の温度が判定されることにより、発生させる加熱出力を、入る空気の特性に正確に適合させることができる。このようにして、暖房装置から吐き出される空気の暖気温度の速度依存制御を、車両速度に正確に適合させることができる。例えば、加熱される空気が非常に冷たい場合、この空気を事前決定される温度まで加熱するためには、より高い加熱出力が必要であるのに対し、さほど冷たくない空気を加熱するためには、より低い加熱出力で十分である。補助暖房装置から吐き出される空気の正確な温度は、冷気温度と加熱出力とに依存するため、吐き出される空気の温度をずっと効果的に制御することができる。
【００１７】
温度判定ユニットは、冷気温度を、少なくとも１つの測定温度値を使用して判定することが好ましい。冷気温度の判定を向上させるため、補正係数をさらに使用することができる。補正係数を使用することにより、加熱される空気の温度を測定する目的で空気ダクト内、加熱素子の前に配置されるセンサーを使用する必要がなくなる。加熱される空気の温度は、車両の別のコンポーネント（例えば、空調システム）から利用可能である温度値から求めることができる。換気／暖房の内気循環モードにおいては、吸い込まれる空気の温度は、車両の車室内の温度に基づいて容易に求めることができるが、外の新鮮な空気が車両内に流れ込む外気導入モードにおいては、車両の外側温度が、冷気温度の良好な値である。
【００１８】
冷気温度を、車両内で検出される温度値から求める場合、少なくとも１つの補正係数を使用することが好ましく、この補正係数は、測定される温度と、加熱される空気の正確な温度との間の差を補正する。この温度差は、自動車の運転中に一定ではないことがしばしばある。この時間的変動を考慮するため、さらなる有利な実施形態によると、温度判定ユニットは、測定される温度値に対する、冷気の時間的変動を補正する補正係数を使用する。
【００１９】
コンバーチブルトップが開いた状態、または窓が開いた状態で車両が走行しているときには、加熱される冷気の温度に外側の温度が大きく影響するため、車両の内側温度および車両の外側温度の重み付き組合せに基づいて、冷気温度を求めることが好ましい。
【００２０】
あるいは、本発明による温度判定ユニットは、ブロアと加熱素子との間の空気取り入れセクションに配置されている温度センサーを使用して、冷気温度を測定する。冷気温度は、加熱素子のすぐ前で測定されないことがしばしばあるため、冷気温度は、温度を測定してから空気を加熱するまでにおそらくはわずかに変化する。したがって、測定値からのずれを考慮する補正係数をさらに使用することが好ましい。
【００２１】
発生させる加熱出力を決定するために必要なパラメータ（例えば、加熱素子の加熱特性、あるいは車両に依存する影響）は、理論的には既知でないことがしばしばあるため、補助暖房装置は、入力値に依存する発生させる加熱出力を記述する特性フィールド（characteristic field）を格納していることが好ましい。補助暖房装置の制御は、数式と特性フィールドの組合せによって実施することができる。また、制御ユニットは、加熱出力の調整を特性フィールドのみによって実行することもできる。
【００２２】
好ましい実施形態によると、補助暖房装置は、加熱される冷気を加熱素子に供給するブロアをさらに備えている。補助暖房装置にブロアを組み込むことによって、補助暖房装置とブロアを取り付けるために個別の組立てステップがもはや必要ないため、車両の製造を容易にすることができる。
【００２３】
本発明を使用すると、電気式補助暖房装置を、自己完結的に動作する補助暖房装置として自動車内の任意の場所において容易に使用することができる。したがって、この補助暖房装置は、局所的な暖房を実施するのに特に適しており、任意の使用場所、例えば、車両のシートの中、車室の後部、フロア空間、車両のＢカラムまたはＣカラムに取り付けることができる。特に、発生させる加熱出力を正確に決定することによって、乗員のすぐ近傍において補助暖房装置を使用することができる。したがって、シート、乗員の背中、または首領域に暖気を供給する補助暖房装置を、車両のシートに設けることが好ましい。
【００２４】
本発明のその他の利点、特徴、および詳細は、好ましい実施形態の以下の説明と図面とから理解できるであろう。
【図面の簡単な説明】
【００２５】
【図１】本発明による電気式補助暖房装置の概略的な構造設計を示している。
【図２】負荷が変化する場合における、本発明による補助暖房装置の加熱出力の時間に伴う変化を示している。
【図３】追加の温度判定ユニットを有する、本発明による電気式補助暖房装置の概略的な構造設計を示している。
【図４】ブロアが組み込まれている、本発明による電気式補助暖房装置の構造設計を示している。
【図５】補助暖房装置が取り付けられている車両のシートを示している。
【図６】加熱素子に入る空気の温度を考慮する、電気式補助暖房装置の制御の原理を示している流れ図である。
【発明を実施するための形態】
【００２６】
図１は、第１の実施形態による、本発明の電気式補助暖房装置の概略的な構造設計を示している。補助暖房装置１は、加熱セクション３と制御ユニット２とを含んでおり、加熱セクション３は、１つまたは複数のＰＴＣ加熱素子と、自身の中を流れる空気に加熱出力を伝えるラジエータ要素とを備えており、制御ユニット２は、１つまたは複数の加熱素子の加熱出力を調整する。
【００２７】
補助暖房装置１を車両内の別のコンポーネントに接続するため、補助暖房装置１には端子４が設けられている。この端子を使用することにより、自動車の内側または外面において求められるパラメータ値、例えば、車両速度センサーあるいは温度センサーからのパラメータ値を、制御ユニット２に供給することができる。さらに、例えば、ユーザ定義の事前決定される指定値、あるいは車両の別のコンポーネントの信号を、この端子を介して制御ユニット２に送信することもできる。補助暖房装置１は、車両の外部装置にアナログ方式またはデジタル方式において直接接続することができる。しかしながら、この場合には、外部装置それぞれを個別に補助暖房装置１に接続しなければならないため、高いケーブルコストが必要である。この問題を回避する目的で、車両内のバス（例えば、ＣＡＮバス、ＬＩＮバス）を使用することがますます一般的になっている。このバスは、複数の装置の信号を１本のラインによって車両の別の装置に送信する。端子４を使用することにより、補助暖房装置１をそのようなデータバスに容易に接続することができ、補助暖房装置１は、バスを介して受け取る信号をさらに処理する。例えば、制御ユニット２は、車両の速度を示す信号をこのバスを介して受け取ることができる。
【００２８】
しかしながら、当業者には、上述した端子の用途は一例を示しているにすぎず、これらの端子によって、補助暖房装置に対する数多くの操作が可能であることが認識されるであろう。
【００２９】
本発明の特殊な実施形態によると、補助暖房装置には、さらにブロアが設けられている。このブロアは、加熱素子によって加熱された空気を吐出口を通じて車室内に吹き込む空気流を発生させる。この実施形態については、後から図５を参照しながら詳しく説明する。
【００３０】
吐き出される空気の温度の制御は、車両速度の推測値を導くことのできる信号に基づく。この信号は、例えば、車両速度の正確な値を示す回転速度計の信号とすることができる。あるいは、信号を車輪速度またはギアの回転速度とする、または、例えばアンチロックブレーキシステムから得ることもできる。制御ユニット２は、補助暖房装置から吐き出される空気の温度を、車両速度が上がるにつれて空気の温度が上昇し、車両速度が下がるにつれて空気の温度が下降するように、この信号に基づいて制御する。
【００３１】
以下では、吐き出される空気の温度を速度に依存して制御する方法を示す、本発明のさまざまな例示的な実施形態について説明する。
【００３２】
本発明の特殊な方法においては、従来技術の場合とは異なり、空気流量を車両速度から切り離す。車両速度が変化するときに首領域における快適な温度を達成する目的で、空気流量を実質的に一定に維持し、吐き出される空気の温度を変化させる。
【００３３】
補助暖房装置を流れる一定の空気流量を達成するため、ブロアの回転速度は、瞬間的な車両速度には関係なく同じ値のままである。したがって、加熱出力を増大または減少させると、それに直接対応して、補助暖房装置から吐き出される空気流の温度が上昇または下降する。したがって、上述した加熱素子の慣性を考慮しても、速度が大きく変化するときに従来の補助暖房装置において起こりうる不都合な温度変動を回避することが可能である。
【００３４】
本発明の範囲においては、一定の空気流量とは、空気流量を変化させることができないことを意味するものではない。当然ながら、ユーザによって異なる空気流量を事前に選択することができる。さらに、空気流量を、車両速度に依存するのではなく別のパラメータに依存して変化させることもできる。この目的で、制御ユニット２は、空気流の強さに関する情報を提供する信号（ブロアまたは車両の何らかの別のコンポーネントによって送られる）を、端子４を介して受け取ることができる。この信号は、例えば、ブロアの回転数、あるいは選択されている換気段階に関する情報を提供することができる。制御ユニット２は、空気流の強さが増すと好ましくはそれに対応して加熱出力が増大し、空気流が減少すると好ましくはそれに対応して加熱出力が低下するように、受け取った信号に基づき、空気量の変化に加熱出力を適合させる。
【００３５】
上述したように、補助暖房装置から吐き出される空気流の温度を、加熱出力を変化させることによって制御する。この制御においては、加熱される空気に１つまたは複数の加熱素子によって伝えられる加熱出力を、速度が上がると空気の温度が上昇し、速度が下がると空気の温度が下降するように、車両速度に適合させる。速度に対する加熱出力の依存性、したがって、速度に対する、吐き出される空気の依存性は、いくつかの方法において制御することができる。
【００３６】
この制御は、例えば、車両速度または車輪速度に対する加熱出力の依存性を記述する線形または非線形の関数関係を利用することによって行うことができる。また、車両速度およびその他の使用可能なパラメータに対する加熱出力の依存性を反映する特性を使用することも可能である。この場合、加熱出力を求める計算処理を回避することができる。しかしながら、必要な加熱出力を求めるための別の可能な方法も存在し、上述した方法が一例にすぎないことが、当業者には認識されるであろう。
【００３７】
前述および後述する機能を実行する場合、制御ユニット２は、例えば、加熱素子の制御を定義する制御プログラム、機能ルーチン、または特性を含んでいるメモリユニット（図示していない）を含んでいることができる。さらに、制御ユニット２は、この場合、メモリユニットに格納されているプログラムを実行するプロセッサを含んでいることが好ましい。しかしながら、暖気温度の速度依存制御は、何らかの別の方法において実現することもできることが、当業者には認識されるであろう。
【００３８】
さらに、端子４を介して、メモリユニットに格納されている制御プログラムを更新する、あるいは制御ユニット２を保守することも可能である。
【００３９】
加熱出力の制御は、加熱素子（または、好ましくは個別に制御可能な複数のＰＴＣ加熱素子）を流れる電流の強さを適切に選択することによって、容易に達成することができる。この目的には、通常では、補助暖房装置の個別に制御可能な加熱段階の数に応じて、電力半導体（各加熱段階に供給される電流を調整する）が使用される。
【００４０】
本発明による制御により、補助暖房装置の中を流れる空気に１つまたは複数の加熱素子によって伝えられる加熱出力を、速度が上がったときに不都合な制御オーバーシュートなしに空気の温度が上昇するように、車両速度に適合させる。加熱される空気流の不快な過度の暖房を高い信頼性で回避することができる。
【００４１】
補助暖房装置から吐き出される空気の暖気温度を速度に依存して変化させる場合、車両速度のみならず、外側温度も考慮することが有利である。前述したように、多くの暖房装置では、乗員が手操作によって選択できるさまざまな快適性段階（それぞれに特定の加熱出力強度が割り当てられている）がさらに提供される。
【００４２】
これを考慮する目的で、加熱後の空気の温度を変化させるために使用される加熱出力を、車両の乗員によって事前に選択できる基本値から開始して、車両速度に依存して調整することが好ましい。この基本値は、手操作での入力に加えて、またはそれに代えて、制御ユニットまたは空調システムによって、外部パラメータ（例えば、外側温度、あるいは、コンバーチブルトップまたは窓が開いている程度）に依存して自動的に調整することもできる。この場合、制御ユニット２によって、各基本値および各快適性段階に、速度に依存する加熱出力値が割り当てられる。しかしながら、本発明は、正確な加熱出力値を使用することに限定されない。この方法に代えて、例えば、各快適性段階の基本値としての特定の加熱出力と、各基本値に対しての、車両速度に依存して基本値を低減または増大させなければならない程度を示す補正値とを格納することも可能である。さらに、１つのみの快適性段階の正確な温度値を格納しておき、それ以外の快適性段階については、その格納されている温度を、選択された快適性段階に依存して適合させる程度を示す補正値を使用することも可能である。しかしながら、１つまたは複数の基本値から開始して、加熱出力を速度に依存して変化させる複数の可能な方法が存在することが、当業者には認識されるであろう。
【００４３】
上述したように、補助暖房装置を流れる空気流量を速度に依存して変化させないことは、本発明の重要な特徴であるが、この特徴は、本発明において、空気流の強さを変化させることをまったく除外することを意味するものではない。
【００４４】
最近の換気システムでは、例えば、車両の乗員によって選択できる複数のブロア段階を提供している。さらに、空調システムによって、手操作によりまたは自動的に走行中に外気導入モードから内気循環モードに変更されることがあり、これにより、ブロアによって車室内に吹き出される空気流の強さが変動することがある。
【００４５】
このような空気流の強さの変動を考慮するためには、空気流量が変動する場合に、吐き出される空気の温度が変化することが防止されるように、加熱出力の基本値を、手操作またはおそらくは自動的に選択される空気流の強さに適合させることが好ましい。したがって、換気の快適性段階が変更された場合、それに対応して、発生させる加熱出力を変更する。
【００４６】
負荷が変化する場合、すなわち、加熱素子によって発生させる出力を不連続に変化させる場合における慣性効果を補正する目的で、負荷の変化が起きたときに、最初、特定の期間にわたり、事前決定された目標値から加熱出力がはずれるように、加熱素子３によって発生する加熱出力を制御することが好ましい。
【００４７】
図２は、空気流の強さが増し、発生させる加熱出力がその結果として増大する場合における、加熱素子３によって発生させる加熱出力の、例示的な時間依存の特性を示している。吐き出される空気をより急速に加熱する目的と、加熱素子の慣性を補正する目的で、負荷の正の変化（例えば、快適性段階が高められる）に応答して、現在の車両速度に関連付けられる加熱エネルギよりも高い加熱エネルギを、一時的に加熱素子に供給する。より高い加熱出力を選択することによって、慣性にもかかわらず、望んだとおりに空気が加熱されることが達成される。
【００４８】
同様に、制御ユニット２は、負荷の負の変化（例えば、より低い快適性段階が選択される）に応答して、加熱素子に選択される加熱エネルギが、各車両速度に対して設定されている加熱エネルギよりも低くなるように、構成されている。より低い加熱出力がこのように選択されることにより、吹き出し温度の上昇（空気流量が少ないことと、加熱素子の熱質量に蓄えられているエネルギとによって生じうる）が防止される。したがって、負荷の負の変化の場合には発生させる加熱出力を減少させることにより、吹き出し温度のオーバーシュートと、結果としての過度な暖房効果とが回避される。
【００４９】
１つまたは複数の加熱素子は、パルス幅変調（ＰＷＭ）によって制御されることが好ましい。加熱出力はデューティサイクルを介して調整される。負荷の変化が起きたとき、このデューティサイクルを、短い期間について、増大させる（負荷の正の変化の場合であり、より高い快適性段階への切替えが行われるとき）、または減少させる（負荷の負の変化の場合、すなわち、より低い快適性段階への切替えが行われるとき）。しかしながら、デューティサイクルの一時的な増大または低減の正確な制御を、理論的に求めることは困難である。したがって、満たすべき要求条件に応じて、車両に依存する値として実験的に求めることが好ましい。
【００５０】
図２に示した動作開始時のオーバーシュート（switch-on overshoot）では、選択されている期間の間、一定の値を想定しているが、必ずしもこのように選択する必要はない。時間とともに変化する、動作開始時の増加した加熱出力として、初期値から開始して、速度それぞれに関連付けられる加熱出力まで連続的または段階的に減少する増加した加熱出力を使用することも可能である。同様に、動作開始時の減少した加熱出力の場合、一定の値、または、時間とともに変化して初期値から加熱出力まで増大する値を選択することができる。
【００５１】
空気流の強さが車両速度に依存して制御されないため、空気流の強さの変化は、極めてまれにしか起こらない。したがって、従来の補助暖房装置とは異なり、温度のオーバーシュートはほとんど起こることがなく、たとえ起こる状況においても、上述した動作開始時の増加した加熱出力または減少した加熱出力を使用することによって回避することができる。
【００５２】
吐き出される暖気の温度の上述した制御においては、入る空気の温度を考慮していない。速度に依存しての暖気温度の適合化の改良を、加熱される空気の冷気温度を考慮することによって達成することができる。
【００５３】
図３は、制御ユニット２およびＰＴＣ加熱素子３に加えて温度判定ユニット５を備えている電気式補助暖房装置の、概略的な構造設計を示している。温度判定ユニット５が制御ユニット２に接続されており、加熱素子３に入る冷気の温度を反映する温度値をこの制御ユニットに供給し、この温度値を使用して、ＰＴＣ加熱素子の加熱出力を決定する。
【００５４】
補助暖房装置１を車両内の別のコンポーネントに接続するため、補助暖房装置１には端子４ａ，４ｂが設けられている。端子４ｂを使用することにより、例えば、温度判定ユニット５を、車両の内側または外側に設けられている温度センサーに接続することができる。さらに、制御ユニットの挙動を端子４ａを介して操作することも可能である。この端子は、例えば、ユーザ定義による事前決定される値、または車両の別のコンポーネントの信号を制御ユニット２に送信する目的に使用することができる。
【００５５】
前述したように、補助暖房装置１は、車両の外部装置にアナログ方式またはデジタル方式において直接接続する、またはデータバスを介して接続することができる。例えば、車両に取り付けられている空調システムの温度値、または空気ダクトに設けられているセンサーの温度値を、このバスを介して温度判定ユニット５に供給することができ、温度判定ユニット５は、受け取った値に基づいて、加熱される空気の冷気温度を求めることができる。
【００５６】
同様に、制御ユニット２および温度判定ユニット５を端子４ａ，４ｂを介して更新あるいは保守することも可能である。しかしながら、当業者には、上述した端子の用途は一例にすぎず、これらの端子によって、補助暖房装置に対する数多くの操作が可能になることが認識されるであろう。さらには、補助暖房装置に必ずしも２つの個別の端子を設けなくてもよい。補助暖房装置は、例えば、制御ユニット２に接続されている１つの端子４ａのみを備えていることができ、この端子４ａを通じて制御ユニット２にデータが供給される。この場合、温度判定ユニット５によって要求されるデータは、（必要な場合）制御ユニット２によって温度判定ユニット５に渡される。
【００５７】
図４は、追加のブロアを備えた、本発明による電気式補助暖房装置を詳しく示しており、ブロアには、本発明の実施形態によると、冷気温度を測定するための温度センサーが設けられている。しかしながら、前述したように、このような温度センサーの使用は、絶対的に必要なわけではない。
【００５８】
補助暖房装置１は、加熱素子３が中に並んで配置されている平坦な収納部６と、制御ユニット２および温度判定ユニット５が組み込まれている電子制御部７を有する回路基板と、ラジアルブロア８と、温度センサー１０とから構成されている。収納部６の外周には、複数の取付け連結部９がさらに設けられており、これらの取付け連結部９は、収納部６を車両の支持体における相補的な連結部に結合するために使用される。温度センサー１０は、冷気のセクションに設けられており、電子制御部７に接続されている。さらに、電子制御部７は、自動車の配線系統、ラジアルブロア８、または適切な制御要素（シートまたは取付け具の領域に設けられていることが好ましい）に、ライン（詳しくは図示していない）を介して接続されている。これらの制御要素は、例えば、暖気温度もしくはブロアの速度、またはその両方を、互いに独立して調整する目的で使用することができる。さらには、制御部７を、温度センサー１０に加えて、または温度センサー１０の代わりに、車両のバスに接続することができ、このバスは、車両において利用可能な周囲パラメータ、例えば、内側温度、外側温度、車両速度、コンバーチブルトップの状態（開／閉）などを、制御部７に供給する。
【００５９】
図４は、本発明の多数の可能な使用方法を明確に示している。図４に示したタイプの補助暖房装置は、車両内の多数の場所において使用される。補助暖房装置は、例えば、ダッシュボード、シートの表面域、車両のシートの背もたれおよびネックレストに取り付けられる。さらに、最近の車両は、快適性を高めるため複数のブロアまたは暖房モジュールを備える。本発明では、車両に組み込まれる個々の加熱素子それぞれについて、入ってくる空気の温度を個別に求めることから、加熱素子それぞれが自己完結的に動作することができ、したがって、局所的に使用することができる。
【００６０】
図５は、車両のシートを暖房する目的で、本発明による補助暖房装置を使用する１つの可能な実施形態を示している。車両のシート１１は、通常の場合におけるように、シートクッション部１２および背もたれ１３を備えている。シートクッション部１２および背もたれ１３の両方は、本質的に支持体から構成されており、この支持体は、硬質発泡体（例えば、ポリウレタン）から作成されていることが特に有利であるが、スプリング入りシートとして支持体を実施することもでき、支持体には必要な固定レールおよびフレームが組み込まれている。硬質発泡体の表面には、例えば編地１４が接着されており、その上に外側カバー１５（例えば、ベロア、レザー）が載っている。
【００６１】
図５に示した実施形態においては、硬質発泡体には空気流路１６が形成されており、この空気流路１６は、端部がチャンバ状であり、その全長にわたり編地１４の方向に開いている。シートクッション部１２および背もたれ１３の背面には、配置目的で形成されている開口に補助暖房装置６が配置されている。補助暖房装置によって加熱された空気は、空気流路１６を通じて乗員に送られる。図５はシートクッション部およびシートの背もたれ部の暖房装置を示しているのみであるが、本発明による補助暖房装置は、乗員の首領域を暖めるための空気流路（または複数の空気流路）を含んでいるシートにおいても、同じように使用することができる。この場合、１つのみの補助暖房装置ではなく、例えば３つの補助暖房装置を使用することができ、各補助暖房装置が、シート、シートに着座している人の背中、または首領域に、暖気を供給する。さらに、例えば、自動車の車室の後部を暖房する目的で、シートの外側において補助暖房装置を使用することができる。
【００６２】
しかしながら、車両において複数の補助暖房装置を使用するときには、個々の加熱素子３それぞれに電子制御部７を設ける必要はない。コストを低減するため、例えばバスを介して、またはアナログ方式で個々の加熱素子に接続されている１つのみの電子制御部を、車両に設けることができ、この電子制御部は、加熱素子それぞれによって発生させる加熱出力を個々に調整する。
【００６３】
さらには、個々の加熱素子それぞれが個別のブロア８を備えている、あるいは接続されている必要もない。コストおよび車両重量を低減するため、複数の加熱素子を１つのブロア８に接続することができ、このブロア８が各加熱素子に空気を供給する。本発明による補助暖房装置は、例えば、中央のブロアからの空気を、車両のそれより後部に配置されている吹出口に導くために使用される空気ダクトに配置することができる。そのような場合、個々のブロアは必要ない。さらには、車両のシートは、外部ブロアに接続されている１本のみ、または複数の空気ダクトを備えていることができ、これらのダクトに、本発明による１つまたは複数の補助暖房装置を設ける。暖房装置に供給される冷気流のパラメータは、例えば中央の空調システムによって提供することができる。
【００６４】
前述したように、本発明の一実施形態によると、発生させる加熱出力は、加熱される空気の冷気温度に大きく依存する。発生させる加熱出力は、さまざまな方法、例えば、制御量として冷気温度を含んでいる数学方程式によって、決定することができる。特性または特性フィールドを使用するときには、この数学的な計算処理を回避することができる。後者の方法で加熱出力を決定する場合、冷気温度に対する加熱出力の依存性と、速度に依存する暖気温度とを反映する特性が、例えば、補助暖房装置における測定値によって実験的に求められ、動作時に、補助暖房装置から吐き出される暖気を、この特性を通じて車両速度それぞれに最適に適合させることができる。
【００６５】
温度の判定を向上させるため、２つの判定方法を組み合わせることもできる。例えば、数学的計算の個々の側面（例えば、パラメータの温度依存性）を特性フィールドによって容易に表すことができる。これにより、計算処理が大幅に減少し、なぜなら、パラメータの特性の正確な式がしばしば存在しないためである。特性を使用する場合、必要であれば特性を更新できるという利点もある。改良された測定方法を使用する場合、特性を決定しなおすことによって、例えば、冷気温度の判定を最適化することが可能である。これにより、さらに、補助暖房装置の変化する特性、例えば、補助暖房装置に生じうる汚れ（soiling）に、加熱出力の制御を適合させることができる。
【００６６】
前述および後述する機能を実行するため、例えば、制御ユニット２もしくは温度判定ユニット５、またはその両方は、温度判定と加熱素子の制御を定義する制御プログラム、機能ルーチン、または特性を含んでいるメモリユニット（図示していない）を備えていることができる。さらに、制御ユニット２もしくは温度判定ユニット５、またはその両方は、この場合、メモリユニットに格納されているプログラムを実行するプロセッサを含んでいる。メモリユニットに含まれているデータは、端子４ａ，４ｂを介して容易に更新することもできる。
【００６７】
以下では、発生させる加熱出力を計算する数学的方法について、最初に説明する。発生させる加熱出力を決定するためには、暖房装置から吐き出される空気の温度としての暖気温度を事前決定し、次いで、冷気温度を考慮し、吐き出される空気を、所望の暖気温度まで加熱するために必要な加熱出力を決定することが都合よい。
【００６８】
この方法の基礎となるのは、次の式である。
【数１】
0005100669.tif 000002
0005100669.tif 000003
【００６９】
加熱される空気が熱エネルギを取り込む効率を考慮する場合、効率係数αをさらに考慮することができる。この場合、加熱出力を計算する式は次のようになる。
【数２】
0005100669.tif 000004
【００７０】
加熱出力を計算するうえで必要な冷気温度は、いくつかの方法において求めることができる。これを達成する最も簡単な方法は、加熱される入ってくる空気の温度を測定する温度センサーとして、ブロアと加熱素子との間に位置する温度センサーを使用することである。しかしながら、必ずしもこのようなセンサーを使用する必要はなく、なぜなら、車両に取り付けられている多数の装置が車両の内側または外側の温度を測定しているためである。例えば、車両に取り付けられている空調システムは、車室内の温度をそこから推定することのできる温度を測定する。補助暖房装置に空気を供給するブロアが、例えば内気循環モードにおいて車両の車室から空気を吸い込むとき、空調システムによって測定される温度は、冷気温度の良好な値である。空気供給器が外気導入モードで動作しているときには、吸い込まれる空気は、車両内側からの空気ではなく、外側からの新鮮な空気である。この場合、車両に設けられている温度センサーによって測定される外側温度が、冷気温度の良好な尺度である。これらに基づいて、本発明では、車両の内側または外側の温度センサーによって測定される周囲温度Ｔambientを使用して冷気温度を求める。
【００７１】
（車両の内側または外側の）周囲温度は、通常では冷気温度（吸い込み温度）に正確には対応していないため、例えばバスによって提供される温度（例えば、内側温度または外側温度）のクォリティを評価する係数Ｆを、さらに計算に導入することができる。例えば、バスによって提供される温度を適合させる必要がない場合、Ｆ＝１を選択することができる。例えば、温度測定値と冷気温度との温度差を反映するクォリティ係数を使用して、冷気温度が得られるように周囲温度を補正する。
【数３】
0005100669.tif 000005
【００７２】
式（ｉｉｉ）においては、周囲温度と冷気温度の間の比を係数として求めることができるものと想定している。しかしながら、このような無条件の依存性がつねに与えられるわけではない。冷気温度がつねに特定の差異値だけ周囲温度と異なっていることもあり得る。周囲温度と冷気温度との間のそのような関係を考慮する場合、本発明では、上式に代えて、次式に示した加算補正係数ｆを使用する。
【数４】
0005100669.tif 000006
【００７３】
冷気温度に対する周囲温度の偏差の時間的な変動をさらに考慮する場合、補正係数を時間依存とすることもできる。例えば、周囲温度が、極めて短い時間内に特定の温度まで加熱される例えばダッシュボードあるいは中央コンソールにおいて測定されるのに対し、例えば車室の床付近において空気が吸い込まれる（この空気の温度は、コンソールの温度までゆっくりと上昇する）場合に、このような時間依存性が生じる。さらに、補正係数Ｆおよびｆを組み合わせることによって、冷気温度を次のように求めることもできる。
【数５】
0005100669.tif 000007
【００７４】
ここまでは、車両の内側または外側において測定される１つのみの温度に基づいて冷気温度を求めた。しかしながら、冷気温度の判定は、複数の温度を使用することによって改良することができる。
【００７５】
複数の温度値から冷気温度を求める場合、冷気温度に対する個々の温度の影響を表す加重係数もしくは相関係数、またはその両方を使用する。これらの係数の合計は１であることが好ましい。これらの相関係数は、時間的に一定である、あるいは時間的に変化することができる。これにより、車両によって提供される値のクォリティを評価することができる。
【００７６】
以下では、複数の温度値の相関／加重について、測定される車室温度と外側温度の組合せに基づいて例示的に説明する。
【００７７】
車両を始動させる、もしくは暖房モジュールのスイッチをオンにする、またはその両方を行ったとき、通常では、内部温度と外部温度の間に調整を行う。例えば、コンバーチブルトップまたは窓が閉じている状態で、車両内の車室温度が１８℃であるのに対し、外側温度が１０℃である場合、コンバーチブルトップまたは窓を開けたときには、これら２つの温度の間の値に温度を調整し、その温度値を評価する。
【００７８】
加熱素子に入る空気の温度は、次式によって求めることができる。
【数６】
0005100669.tif 000008
【００７９】
式から明らかであるように、外部温度および内部温度の影響は、上の例における時間依存の適切な補正係数を選択することによって考慮されている。さらに、さらなる変動を反映する加算補正係数を追加することができる。
【００８０】
上述した一連の式は、数学的に記述するための多数の補正係数を含んでいるが、これら係数の正確な関数関係は既知ではないことが多い。具体的には、補正係数の正確な値は車両に固有であり、車両および補助暖房装置の年式に伴って変化しうる。このような変化にもかかわらず補正係数として正確な値または係数の時間依存性を使用するためには、温度判定ユニット５は、個々の係数の依存性を表す特性（characteristics）を格納していることが好ましい。これらの特性または特性フィールドは、一連の測定値によって実験的に求められる。したがって、車両の型式ごとに個々の値を求めることができ、これにより、加熱出力の制御を最適に車両に適合させることができる。
【００８１】
式（ｉ）から理解できるように、補助暖房装置から吐き出される暖気の正確な温度を決定することにより、速度に対する、吐き出される暖気の依存性を正確に調整することができる。この目的に必要である、冷気温度および車両速度に加熱出力を適合させるステップは、さまざまな方法において達成することができる。例えば、特定の速度および冷気温度の一組の値に所定の加熱出力を割り当てる値テーブルまたは関数を、メモリユニット、または複数のメモリユニットのうちの１つに格納することができる。
【００８２】
さらに、事前に選択される車両速度について、冷気温度のさまざまな値に特定の加熱出力を割り当てる値テーブルまたは関数のみを格納しておくことも可能である。この場合、格納されている加熱出力値を車両速度に依存して補正する程度を示す補正値によって、速度に依存しての加熱出力の変更を達成することができる。しかしながら、加熱出力を速度および冷気温度に依存して制御する方法を達成する上記以外の方法も存在することが、当業者には理解されるであろう。
【００８３】
表１は、３つの快適性段階および４つの異なる速度に対する暖気温度がリストされている例示的なテーブルを示している。
【００８４】
【表１】
0005100669.tif 000009
【００８５】
この場合、車両が静止した状態における暖気温度を、暖気温度の基本値として使用し、この基本値を車両速度に依存して調整する。表１から理解できるように、達成する暖気温度は、車両速度が上がるにつれて上昇するように選択することが好ましい。同様に、車両速度が下がるにつれて暖気温度を下降させる。
【００８６】
表１には、特定の速度に対する暖気温度が含まれているにすぎないが、これは、暖気温度を車両速度に段階的に適合させることに本発明が限定されることを意味するものではない。暖気温度を、基本値から開始して車両速度に連続的に適合させることも可能である。この適合化は、暖気温度を基本値から開始して車両速度に線形比例するように変化させることによって、容易に達成することができる。しかしながら、車両速度に対する暖気温度の非線形依存性を使用することもできる。
【００８７】
さらに、暖気温度を速度に依存して制御するために使用される、表１に示した上述した方法は、単なる例であり、この制御を達成することのできる数多くの方法が存在することが、当業者には理解されるであろう。
【００８８】
補助暖房装置１によって速度に依存して事前決定される暖気温度は、乗員に必要な快適さを満たすには十分でないことが多い。具体的には、多くの乗員にとって、暖房装置から吐き出される空気の暖気温度を、自身が求める快適さにできるだけ正確に適合させ得ることが重要である。
【００８９】
この要求を満たす目的で、補助暖房装置の制御ユニットは、外部の入力ユニットから受け取る値に基づいて決まる、事前決定される温度値であって、暖気温度の速度依存性を制御するために使用される温度値を、さらに考慮することが好ましい。
【００９０】
結果としての事前決定された温度値を暖気温度の基本値として使用し、この温度を、その事前決定された温度値によって決まる基本値から開始して、車両速度に依存して変化させる。この事前決定される温度値は、さまざまな方法において生成することができる。例えば、ユーザが入力する正確な温度値を、事前決定された温度値として制御ユニット２に渡すことができる。制御ユニット２は、事前決定された温度値を受け取った時点で、現在の車両速度を求め、事前決定された温度値および車両速度の組合せを基本値として使用して、暖気温度を速度に依存して制御する。すなわち、この基本値に基づいて、速度が下がるときには暖気温度を下げ、速度が上がるときには暖気温度を上げる。暖気温度の基本値は、必要に応じて乗員によっていつでも変更および調整することができる。
【００９１】
さらに、本発明は、基本値をユーザ定義によって事前決定する方式に限定されない。これに代えて、またはこれに加えて、外部パラメータ（例えば、外側温度、あるいは、コンバーチブルトップまたは窓が開いている程度）に依存して基本値を自動的に決定することも可能である。
【００９２】
場合によっては、上述した数学関数または特性フィールドを理論的に求めることができないことがあり、その場合、これらを実験的に求めなければならない。また、数学関数と、格納されている特性フィールドの組合せを使用して、暖気温度を適合させることもできる。しかしながら、適切な特性フィールドを選択することによって、補助暖房装置を制御するための数学的記述をまったく必要としないようにすることもできる。
【００９３】
本発明のさらなる好ましい実施形態によると、制御ユニットのメモリまたは温度判定ユニットのメモリに、１つまたは複数の特性フィールドが格納されており、これらの特性フィールドは、暖房装置から吐き出される空気が特定の暖気温度を有するように、パラメータ（例えば、冷気温度、車両速度）に応じて加熱素子によって発生させなければならない加熱出力を示す。
【００９４】
特性フィールドを決定する場合、冷気を目標温度まで加熱するために加熱素子によって発しなければならない加熱出力を実験的に求めることができるように、多数の入力パラメータ（例えば、冷気温度、空気流量の大きさ、窓およびコンバーチブルトップの開放状態、目標暖気温度）について、一連の測定を実行する。個々の車両それぞれ、または車両の形式それぞれにおいて求められる特性に基づいて、補助暖房装置の制御を、個々の車両それぞれ、または車両の形式それぞれに正確に適合させることができる。
【００９５】
特性フィールドの決定は、個別のセクションに分けることもできる。例えば、補助暖房装置の製造業者が、暖房装置の特性を工場において実験的に確定し、それらを第１の特性フィールドに格納する一方で、その後に、自動車の製造業者が、第２の特性フィールド（車両に依存する影響によって式が定まる）を求める。
【００９６】
さらに、個々の車両それぞれについて特性フィールドを求める必要もない。１つの型式の車両または１つの型式の補助暖房装置の中では、極めてわずかな特性の差異が生じるのみであるため、通常では、特定の型式の車両のうちの１つの車両のみについてと、特定の型式の補助暖房装置のうちの１つの補助暖房装置のみについて、特性フィールドを求めれば十分である。
【００９７】
さらに、特性フィールドによって制御することにより、制御ユニットもしくは温度判定ユニット、またはその両方を単純に修正することができ、なぜなら、これらのモジュール／メモリユニットに格納されているデータを端子４ａ，４ｂを介して容易に更新できるためである。
【００９８】
図６は、暖気温度を考慮する、補助暖房装置の制御の基本的な原理を示している流れ図である。ステップＳ１において、車両速度、または車両速度に依存するパラメータ（例えば、車輪速度）に基づいて、暖房装置から吐き出される空気の目標暖気温度を決定する。次いで、ステップＳ２において、加熱する、入ってくる冷気の温度を判定する。しかしながら、冷気温度より前に暖気温度を決定する必要はなく、暖気温度を決定する前に冷気温度を判定することもでき、あるいは、両方の値を同時に求めることができることが、当業者には認識されるであろう。
【００９９】
ステップ３において、加熱素子３によって発生させる加熱出力を、ステップＳ１およびステップＳ２において求めた冷気温度および暖気温度に依存して決定する。この加熱出力の決定は、上述した式に基づいて、もしくは、格納されている特性フィールドによって、またはその両方によって行うことができる。発生させる加熱出力が決定された時点で、ステップＳ４において、加熱素子３の加熱出力を調整する。
【０１００】
図６に示した制御方法では、補助暖房装置の中を流れる空気流が変化しない。したがって、加熱出力を増大または減少させると、それぞれに対応して、補助暖房装置から吐き出される空気流の温度がただちに上昇または下降する。冷気温度を考慮することによって、吐き出される暖気が、所望の暖気温度まで正確に加熱されることがさらに達成される。このようにして、加熱される空気流の不快な過度の暖房が高い信頼性で回避される。
【０１０１】
自動車の暖房装置が通常では車両の空気ダクトに収容されており、ブロアによって新鮮な空気が供給されることを考えたとき、空気の吸込口または吐出口が詰まった場合、あるいはブロアが故障した場合、過度な暖房が起こりうる。これらの場合、加熱素子内において空気流量が減少する、あるいは空気が逆流するため、加熱出力が変更されないままであると、空気ダクトに含まれている空気が非常に高い温度まで加熱される。したがって、特定の状況下では、吐き出される暖気の温度が６０℃を超えることがある。
【０１０２】
空気流の障害による問題を回避する目的で、制御ユニットは、エラー認識を実行することが好ましい。これを目的として、制御ユニットは、ブロアの実際の回転速度と、ブロアの制御入力に印加されている電圧とを比較する適正電圧チェック機能（plausibility check）を備えている。例えば、空気の吸込口が詰まることによって、ブロアによって運ばれる空気流量が減少すると、その影響として、特定の回転速度に達するために要求される電圧が低くなるため、この電圧値は、空気ダクトにおける問題の好適なインジケータである。
【０１０３】
したがって、特定の速度に調整されるように、電圧（おそらくは許容限界値（指定する必要がある）を減じた電圧）を余分に下げなければならない場合、制御ユニット２は、加熱出力を決定するのに、より低い空気流量値を使用する。減少した空気流量が補正されるように、例えば、１つの（快適さ）段階だけ弱まる方向に、加熱出力を切り替えることができる。空気流量値を小さくし、結果としての加熱出力が減少しても依然として適正電圧チェックに合格しない場合、考慮した空気流量値をさらに減少させる。この操作を、暖房モジュールが完全にオフになるまで続けることができる。
【０１０４】
しかしながら、空気ダクト内の動作障害は、加熱素子において直接的に検出することもできる。ＰＴＣ加熱素子は、加熱素子の温度が上昇するにつれて増大する温度依存のオーム抵抗を有する。したがって、加熱素子を流れる電流は、電圧が一定のままであり加熱素子の温度が上昇すると、減少する。加熱素子の中を空気が流れるとき、その空気が加熱素子から熱を取り出し、加熱素子が冷える。これにより、ラジエータ要素の中を流れる空気に加熱出力が伝わるが、加熱素子の電気抵抗は一定のままである。したがって、ＰＴＣ素子における連続的な空気流の場合、ＰＴＣ素子を流れる電流は、特定の値（指定する必要がある）より高くなければならない。例えば、詰まりによって、あるいはブロアの故障によって、空気流が妨げられると、電流値は、指定されている限界値より下がる（ＰＴＣ効果）。結果として、加熱素子が作動停止する。
【０１０５】
上述したＰＴＣ効果によって加熱素子が受動的に作動停止しても、吐き出される暖気は、この作動停止より前に、おそらくは、乗員にとって不快あるいは煩わしい温度まで加熱されている。これを回避する目的で、加熱素子における電流を測定することが好ましい。信号の値が所定の値よりも下がった場合、制御ユニットによって加熱素子３を作動停止する。
【０１０６】
上述した実施形態による補助暖房装置１は、温度判定ユニット５および制御ユニット２が個別のコンポーネントであるように実施することが好ましいが、この特殊な実施形態は、本発明による補助暖房装置１にとって必須ではない。あるいは、それぞれの機能を、例えば、メモリおよびプロセッサを備えている１つのコンポーネントに統合することもでき、このコンポーネントは、メモリに格納されている制御プログラムを使用して温度を求め、制御ルーチンを使用して加熱素子を制御する。
【０１０７】
後流の影響を求めるうえで、コンバーチブルトップの状態または窓の開放程度に関する情報を含んでいる信号を制御ユニット２に供給することも可能である。制御ユニット２は、コンバーチブルトップまたはサンルーフが閉じているか開いているか、あるいは、どの窓が開いているか、およびどの程度開いているかを、この信号によって認識することもできる。
【０１０８】
さらに、本発明は、加熱出力および暖気温度の基本値を外部パラメータ（例えば、外側温度、コンバーチブルトップの状態）に連続的に適合させることに限定されない。基本値の適合化は段階的に行うこともでき、したがって、外部パラメータの値がその限界値を下回る、または上回る場合にのみ、基本値を所定の限界値に調整する。
【０１０９】
要約すれば、本発明は、特に車両の加速段階時に、加熱される空気の温度のオーバーシュートが高い信頼性で回避される電気式補助暖房装置を開示する。これを目的として、吐き出される暖気の温度を車両速度に依存して調整する。この調整は、格納されている特性フィールドを通じて行うことが好ましく、特性フィールドによって、複数の車両パラメータ（例えば、車両速度、コンバーチブルトップの開放状態、外側温度）を容易に考慮に入れることができる。入ってくる空気の温度は、車両においてすでに利用可能である温度値から導くこともできる。このようにして、使い勝手のよい電気式暖房装置を極めて容易に達成することができる。この暖房装置は、車両内で局所的に、例えば、車両のシート、あるいは車室の後部などにおいて、使用することができる。自動車の運転条件がたとえ動的に変化する場合においても、加熱された空気の温度変動を容易かつ高い信頼性で回避することができる。
【図１】
0005100669.tif 000010
【図２】
0005100669.tif 000011
【図３】
0005100669.tif 000012
【図４】
0005100669.tif 000013
【図５】
0005100669.tif 000014
【図６】
0005100669.tif 000015